(57)【特許請求の範囲】
【請求項１】
基端側のコネクタから延びた１本のメインコードが胸部用と四肢用の誘導コードに分岐してなる心電計用誘導コードを所定の状態で保持するための保持具であって、上下に重ねたシート状部材の少なくとも左右両端側が接合されて内側に収納部を形成してなり、少なくとも前記メインコードから前記胸部用と四肢用の誘導コードに分岐した箇所を前記収納部に収納して保持しながら、分岐した前記誘導コードが各々所定の挿通部分を介し前記収納部の外側に脱出して電極を有した先端側を露出した状態で、前記心電計用誘導コードを保持可能なものとされており、心電図の測定時に、仰向けに寝た被験者の上に掛けた状態で前記誘導コードの先端側を各々測定位置に分配しながら前記電極を装着して測定を行うものとされている、ことを特徴とする心電計用誘導コード保持具。
【請求項２】
前記シート状部材は、被験者の少なくとも腹部から両膝を上から覆う縦長の形状・サイズとされており、前記収納部には前記胸部用の誘導コードが複数本に分岐した箇所も収納される、ことを特徴とする請求項１に記載した心電計用誘導コード保持具。
【請求項３】
前記シート状部材のうち一方の表面には、四肢用の電極を有した前記誘導コードの先端側を各々所定位置で保持する４つの保持手段と胸部用の電極を有した前記誘導コードの先端側を総て纏めて所定位置で保持する１つの保持手段を備えている、ことを特徴とする請求項１又は２に記載した心電計用誘導コード保持具。
【請求項４】
前記上下に重ねたシート状部材は平面視略方形状に形成され、その四隅側に前記四肢用の誘導コードの先端側を各々保持するための前記保持手段が設けられ、該４つの保持手段の左右方向中間位置に前記胸部用の誘導コードの先端側を保持するための前記保持手段が設けられており、前記シート状部材を広げて仰向けにした被験者の腰の上に掛けた状態で使用され、前記被験者の頭側にある２つの前記保持手段で左右の腕に装着する電極を有した前記誘導コードの先端側を各々保持し、前記被験者の脚側にある２つの前記保持手段で左右の脚に装着する電極を有した前記誘導コードの先端側を各々保持するものとされている、ことを特徴とする請求項３に記載した心電計用誘導コード保持具。
【請求項５】
前記保持手段はポケットであることを特徴とする請求項４に記載した心電計用誘導コード保持具。
【請求項６】
前記シート状部材が布材からなるとともに前記心電計用誘導コードが着脱自在なものとされている、ことを特徴とする請求項１，２，３，４又は５に記載した心電計用誘導コード保持具。
【請求項７】
前記シート状部材の予め接合されている端部側以外の端部側は、所定の係合手段により上下の前記シート状部材同士が部分的に係合・分離自在に係合されており、係合されていない部分のうち所定箇所が前記誘導コードの挿通部分となる、ことを特徴する請求項１，２，３，４，５又は６に記載した心電計用誘導コード保持具。
【請求項８】
前記係合手段は、プラスチックホック又は／及び面状ファスナからなる、ことを特徴とする請求項７に記載した心電計用誘導コード保持具。
【発明の詳細な説明】
【技術分野】
【０００１】
本発明は、心電計用誘導コードを絡みにくい状態にして保持する保持具に関し、殊に、先端側に電極を有した状態で心電計用誘導コードを保持しながら電極をそのまま被験者に装着できる心電計用誘導コード保持具に関する。
【背景技術】
【０００２】
心電図の測定は、心電計に接続した誘導コードの分岐線先端側に接続した電極を被験者に装着して行われるが、その心電計用誘導コードとしては、基端側の１本のメインコードから、胸部用６本、四肢用４本の計１０本に分岐しているのが一般的である。そして、その先端側の電極は各々被験者に装着する位置が決まっているため、装着する電極を間違えないようにコード先端側のプラグを色分けしたり、電極自体を色分けしたりする等の工夫がなされている。
【０００３】
しかし、電極側に多数の分岐線を有しており分岐箇所から先がある程度の長さを有している心電計用誘導コードは、装着時に分岐線同士が絡みやすいという特性を有している。例えば診療施設に設置して使用する場合は、コードハンガーに吊しておくことで絡みにくくすることが可能であるのに対し、往診の際など、コンパクトな状態に纏めた状態から被験者に装着する場合には、絡み合った誘導コードを解きほぐしながら装着するのに手間と時間を要してしまうという問題がある。
【０００４】
この問題に対し、実用新案登録第３０８１５３９号公報には、図９に示すように分岐線のうち胸部用誘導コードの分岐線６ａ〜６ｆの６本について、その基端側の所定範囲を３本ずつ束ねて１本にすることで絡みにくくした心電計用誘導コード３Ｂが提案されている。また、近年では、図８に示す心電計用誘導コード３Ａのように、６本の分岐線６ａ〜６ｆの基端側を１本の誘導コード（マルチコード）６にしたものも知られており、これらの心電計用誘導コードを用いることでコード同士を絡みにくくしながら装着時の煩雑さを軽減することが可能となる。
【０００５】
しかしながら、このように互いに近い範囲に装着される胸部用の誘導コードの分岐線基端側を束ねたとしても、電極が互いに離れた位置に装着される四肢用の誘導コードについては、単独で長い距離を確保するために１本に束ねられる範囲は限定されて絡み合いの発生は回避できないことから、装着時の煩雑さを充分に解消することはできない。
【０００６】
また、往診時や病室における心電図測定の場合のように、総ての誘導コードをコードハンガーに吊して使用しにくい状況にあっては、分岐したコードの先端側が色分けされていても、全体がコンパクトに纏められた運搬時の状態から総ての電極を被験者の装着位置に正確且つ迅速に振り分けることも容易ではなく、振り分ける際に電極がプラグから脱落するトラブルも生じやすい。
【先行技術文献】
【特許文献】
【０００７】
【特許文献１】実用新案登録第３０８１５３９号公報
【発明の概要】
【発明が解決しようとする課題】
【０００８】
本発明は、上記のような問題を解決しようとするものであり、心電計用誘導コードについて、コンパクトに纏めた状態から迅速且つ容易に被験者に装着できるようにすることを課題とする。
【課題を解決するための手段】
【０００９】
そこで、本発明は、基端側のコネクタから延びた１本のメインコードが胸部用と四肢用の誘導コードに分岐してなる心電計用誘導コードを所定の状態で保持するための保持具であって、上下に重ねたシート状部材の少なくとも左右両端側が接合されて内側に収納部を形成してなり、少なくともメインコードから胸部用と四肢用の誘導コードに分岐した箇所を前記収納部に収納して保持しながら、その分岐した誘導コードが各々所定の挿通部分を介し収納部の外側に脱出して電極を有した先端側を露出した状態で、心電計用誘導コードを保持可能なものとされており、心電図の測定時に、仰向けに寝た被験者の上に掛けた状態で、前記保持手段から離脱させた前記誘導コードの先端側を各々測定位置に分配しながら電極を装着して測定を行うものとされている、ことを特徴とするものとした。
【００１０】
このように、心電計用誘導コードにおいて胸部用と四肢用の誘導コードに分岐している部分を、シート状部材を重ねて形成した収納部に収納するとともに、電極のある先端側を収納部から外に出してそれに近接した位置の被験者の測定箇所に分配して装着させる方式を採用したことで、分岐した先の部分が互いに絡まりにくい状態で保持しながら心電計用誘導コードをコンパクトな状態に纏めておくことが可能となり、且つ、仰向けの被験者の上に置く（掛ける）だけで、各電極をそのまま測定位置に対し迅速且つ容易に分配・装着できるものとなる。
【００１１】
また、この心電計用誘導コード保持具において、そのシート状部材が被験者の少なくとも腹部から両膝を上から覆う縦長の形状・サイズとされており、その収納部には前記胸部用の誘導コードが複数本に分岐した箇所も収納される、ことを特徴としたものとすれば、被験者の測定箇所に近い位置まで誘導コードが収納されていることで露出長が短い状態で済むため、誘導コードが一層絡まりにくくなるとともに装着ミスの生じにくいものとなる。
【００１２】
さらに、上述した心電計用誘導コード保持具において、そのシート状部材のうち一方の表面には、四肢用の電極を有した誘導コードの先端側を各々所定位置で保持する４つの保持手段と胸部用の電極を有した誘導コードの先端側を総て纏めて所定位置で保持する１つの保持手段を備えている、ことを特徴としたものとすれば、誘導コードの先端側が互いに絡まり合うことを回避できるものとなる。
【００１３】
この場合、前記上下に重ねたシート状部材は平面視略方形状に形成され、その四隅側に四肢用の誘導コードの先端側を各々保持するための保持手段が設けられ、その４つの保持手段の左右方向中間位置に胸部用の誘導コードの先端側を保持するための保持手段が設けられており、これを広げて仰向けにした被験者の腰の上に掛けた状態で使用され、被験者の頭側にある２つの保持手段で左右の腕に装着する電極を有した誘導コードの先端側を各々保持し、被験者の脚側にある２つの保持手段で左右の脚に装着する電極を有した誘導コードの先端側を各々保持するものとされている、ことを特徴としたものとすれば、装着する位置が分かりやすくなることに加え、各電極を被験者の測定位置に対し最短距離で装着できるものとなり、その保持手段がポケットであることを特徴としたものとすれば、保持手段で誘導コード先端側を保持させる作業、及びそれから離脱させる作業が極めて容易なものとなる。
【００１４】
さらにまた、上述した心電計用誘導コード保持具は、それを構成するシート状部材が布材からなるとともに心電計用誘導コードが着脱自在なものとされている、ことを特徴としたものとすれば、肌を露出した被験者に触れても不快感を与えにくいとともに、心電計用誘導コードを保持したまま丸めたり畳んだりして一層コンパクトな状態に納めやすいものとなり、且つ、心電計用誘導コードを外して洗濯・掃除を容易に行えるようになるため、衛生状態を維持しやすいものとなる。
【００１５】
加えて、そのシート状部材の予め接合されている端部側以外の端部側は、所定の係合手段により上下のシート状部材同士が部分的に係合・分離自在に係合されており、係合されていない部分のうち所定箇所が前記誘導コードの挿通部分となる、ことを特徴としたものとすれば、心電計用誘導コードの着脱作業が容易なものとなる。
【００１６】
この場合、その係合手段は、プラスチックホック又は／及び面状ファスナからなることを特徴としたものとすれば、着脱作業が極めて容易になることに加え、金属を用いないことで心電図測定の精度に悪影響を与えにくいとともに被験者に不快感を与えにくいものとなる。
【発明の効果】
【００１７】
心電計用誘導コードの胸部用と四肢用に分岐している部分を、シート状部材を重ねて形成した収納部に収納するとともに、収納部から脱出した電極のある先端側を装着位置に分配する方式とした本発明によると、心電計用誘導コードをコンパクトに纏めた状態から迅速且つ容易に被験者に装着できるものである。
【図面の簡単な説明】
【００１８】
【図１】本発明における第１の実施の形態である心電計用誘導コード保持具の平面図である。
【図２】図１の心電計用誘導コード保持具で心電計用誘導コードを保持した状態の平面図である。
【図３】図２の状態から電極のある先端側を取り出した状態において内部のコードの収納状態を破線で示した平面図である。
【図４】図３の状態から各電極を被験者に装着した状態を示す平面図である。
【図５】図２の心電計用誘導コード保持具の応用例を示す平面図である。
【図６】図５の状態から心電計用誘導コード保持具を折り畳んだ状態を示す平面図である。
【図７】本発明における第２の実施の形態である心電計用誘導コード保持具で保持している心電計用誘導コードの各電極を被験者に装着した状態を示す平面図である。
【図８】心電計用誘導コードの一例を示す平面図である。
【図９】心電計用誘導コードの他の一例を示す平面図である。
【発明を実施するための形態】
【００１９】
以下に、図面を参照しながら本発明を実施するための形態を説明する。尚、本発明において、コードの分岐とは、各々電気的に独立した複数本の導電線を有したコードが導電線の単位で枝分かれするという意味であり、個々の導電線が電気的に枝分かれするという意味では用いていない。
【００２０】
図１は、本発明における第１の実施の形態である心電計用誘導コード保持具１Ａを示している。この心電計用誘導コード保持具１Ａは、基端側のコネクタから延びたマルチコード又はコード束によるメインコードが胸部用と四肢用の誘導コードに多数分岐してなる心電計用誘導コードをコンパクトに纏めた状態にして保持するとともに、そのまま被験者に電極を装着させて心電図測定を行えることを特徴とした器具である。
【００２１】
斯かる心電計用誘導コード保持具１Ａは、布材からなる方形状のシート状部材を上下に重ねてなる本体１０Ａ及びその表面側に誘導コード先端側の保持手段として設けた５つのポケット１１ａ，１１ｂ，１１ｃ，１１ｄ，１１ｅからなり、その本体１０Ａは、１枚の長方形のシート状部材の長手方向中間部を折り線にして折り畳み、図中左側の重ねられた端部側を縫い合わせて接合するとともに、図中上下の位置になる両端部側を誘導コードの挿通部分を残して縫い合わせたことにより、全体として袋状にして内側に収納部を形成してなるものである。
【００２２】
その布材からなる本体１０Ａにおいて、四肢用の誘導コード先端側を収納して保持するためのポケット１１ｂ，１１ｃ，１１ｄ，１１ｅが、方形状の本体１０Ａの一方の表面における四隅側に各々配置されており、また、胸部用の誘導コード先端側を収納して保持するためのポケット１１ａが、前記４つのポケット１１ｂ，１１ｃ，１１ｄ，１１ｅの左右方向中間位置のやや上寄りに配置されている。
【００２３】
そして、図２に示すように、その収納部に、例えば図８に示した心電計用誘導コード３Ａにおけるメインコード４０の先端側で胸部用の誘導コード６と四肢用の誘導コード５ａ，５ｂ，５ｃ，５ｄに分岐させる図示しない中継部４を収納部に収納しながら、先端に電極を有した状態の誘導コード５ａ，５ｂ，５ｃ，５ｄ，６の先端側部分をポケット１１ｂ，１１ｃ，１１ｄ，１１ｅ，１１ａに各々収納・保持しておくことにより、心電計用誘導コード３Ａを絡みにくい状態にしてコンパクトに纏められるようになっている。
【００２４】
図３は、図２の状態から、先端にエーカークリップ５０を各々設けた誘導コード５ａ，５ｂ，５ｃ，５ｄを取り出して保持状態から離脱させるとともに、マルチコードである誘導コード６から分岐し先端に胸部用電極６０を各々有した６本の分岐線６ａ〜６ｆを取り出して保持状態から離脱させることで被験者に電極を装着する直前の状態にした、心電計用誘導コード保持具１Ａを示しており、その収納部には、破線で透視して示したように、中継部４とこれから分岐した各誘導コードの基端側所定範囲が収納されており、これらが互いに絡み合いにくい状態を確保したものとなっている。
【００２５】
図４は、図３の状態から、心電計用誘導コード３Ａの分岐部分を保持した状態の心電計用誘導コード保持具１Ａを、被験者の上に置いて各電極を装着した状態を示している。即ち、仰向けに寝た被験者の腰の上に、ポケット１１ａ，１１ｂ，１１ｃ，１１ｄ，１１ｅのある面を上にして掛けた状態とし、誘導コード５ａのエーカークリップ（電極）５０は右手首に、誘導コード５ｂのエーカークリップ５０は左手首に、誘導コード５ｃのエーカークリップ５０は左足首に、誘導コード５ｄのエーカークリップ５０は右足首に各々装着され、誘導コード６の分岐線６ａ〜６ｆ先端に設けた胸部用電極６０，６０，６０，６０，６０，６０は、胸部の各装着位置に各々装着されている。
【００２６】
この状態で、メインコード４０基端側の図示しないコネクタを心電計側に接続して心電図測定を行うものであるが、このように心電計用誘導コード保持具１Ａの本体１０Ａ表面上の所定位置に設けた保持手段としてのポケット１１ａ，１１ｂ，１１ｃ，１１ｄ，１１ｅ及び分岐して収納部の外に出た誘導コードの先端側が、被験者の測定部位に対し各々最短距離の位置になるように配置されている。
【００２７】
また、本実施の形態の心電計用誘導コード保持具１Ａは、被験者の腰付近を覆うだけのコンパクトなものであるが、長い全長を有した心電計用誘導コード全体を保持することができ、本体１０Ａの収納部から引き出す誘導コードの長さを最短にして先端側の電極を各測定位置に容易に装着させることができる。そのため、誘導コードの絡み合いの可能性を最小限に抑えながら、測定位置への電極の分配を正確且つ容易に行えるものとなっている。
【００２８】
尚、本実施の形態の心電計用誘導コード保持具１Ａにおいて、本体１０Ａを構成するシート状部材としては、タオル地や毛布地などの柔らかく冷たくない材質からなる布材を用いることが好ましく、これにより肌を露出した被験者に直接触れても不快感を与えにくいものとなる。
【００２９】
図５は、上述した心電計用誘導コード保持具１Ａの応用例としての心電計用誘導コード保持具１Ｂを示している。この例では、シート状部材を筒状に形成してなる本体１０Ｂの上下両端側の開口部分を、係合手段である複数個のプラスチックホック９０ａ，９０ｂにより上下のシート状部材同士が部分的に係合・分離自在な状態で接合されており、プラスチックホック９０ａ，９０ｂで係合されていない所定の間隔部分が、誘導コードの挿通部分となっている点を特徴としている。
【００３０】
このように、筒状に形成した本体１０Ｂにおいて開口した上下両端側をプラスチックホック９０ａ，９０ｂで接合するとともに、その間隔部分を誘導コードの挿通部分としたことで、心電計用誘導コード３Ａと心電計用誘導コード保持具１Ｂとの間の着脱操作が極めて容易なものとなるため、心電計用誘導コード保持具１Ｂを必要に応じて洗濯しやすくなり、その衛生状態を維持しやすいものとしている。
【００３１】
また、その係合手段として、金属ホックではなくプラスチックホックを用いたことにより、心電図測定の精度への影響が最小限に抑えられるとともに、被験者の肌に触れた場合の不快感も少なく抑えられるようになっている。さらに、左右両端側のプラスチックホック９０ａ，９０ｂを用いて、図６のように折り畳んだ状態で係合・固定すれば、心電計用誘導コードを保持したままコンパクトな状態を維持できることから、運搬・保管に極めて便利なものとなる。
【００３２】
この場合、コネクタを有したメインコードも、折り畳んで形成した内側空間に収納しておけば良く、また、図示は省略するが、畳んだ状態で上端側になる部分に手提げ用の持ち手を設けておけば、手提げ付きバッグと同様に可搬性に一層優れたものとなる。さらに、図５の心電計用誘導コード保持具１Ｂの図中左端側の縫製による接合部分についても、前述のような係合手段で接合する方式とすれば、シート状部材を総て広げた状態にて着脱を行えるようになる。加えて、上述した係合手段としては、前述のプラスチックホックのみの方式のほか、面状ファスナのみ、又はプラスチックホックと面状ファスナを組み合わせて用いた場合でも同様の作用・効果が期待できる。
【００３３】
尚、上述した実施の形態においては、シート状部材の表面に配置する保持手段がポケットである場合を説明したが、本発明はこれに限定されず、一対の面状ファスナによる固定ベルトのように、誘導コード先端側を簡易な手順で保持・離脱できるものであれば様々な手段を使用することができる。また、本発明の心電計用誘導コード保持具は、各誘導コード先端側を被験者の装着すべき各位置を間違えることなく迅速に分配できる点も特徴となっているが、その表裏については明確であることから、シート状部材の左右方向を間違えずに配置させるために、その上下方向を明確にさせるための上向矢印等の目印を設けても良い。
【００３４】
さらに、本発明は、往診時において特にその機能を充分に発揮するものであるが、これ以外の状況、例えば病室で個別的に心電図測定を行う場合、救急時における心電図測定、多くの被験者を同時に寝かせながら連続的に心電図測定を行うケース等、そのコンパクトさと装着の容易さにより、様々な状況において有用なものとなる。
【００３５】
図７は、本発明における第２の実施の形態である心電計用誘導コード保持具１Ｃで保持している心電計用誘導コード３Ａを、被験者に装着した状態を示している。本実施の形態の心電計用誘導コード保持具１Ｃは、図１〜図４に示した心電計用誘導コード保持具１Ａを上下に延長して、少なくとも被験者の腹部から両膝を上から完全に覆うことのできるサイズを有した縦長長方形の本体１０Ｃとするとともに、保持手段としてのポケットを除いた構成となっている。
【００３６】
上述したように、心電図測定を行う状況では、虚血性心疾患や不整脈など、極めて迅速に正確な診断を行うことが要求されるケースも多いことから、電極の装着に時間を要したり装着ミスを犯したりすると、致命的な結果を招いてしまうことになりやすい。そこで、誘導コードが収納部から出て露出する部分について、上述した第１の実施の形態のものと比べて、測定位置により近い位置で露出させながら、その露出長をさらに短くした点を特徴としたものである。
【００３７】
これにより、先端側に電極を有した各誘導コードは、一層絡まりにくくなることに加え、図示したように被験者の各測定位置に対し露出位置が近接しているため、さらに迅速且つミスの生じにくい装着が可能なものとなる。尚、本実施の形態においても、上述したポケットやホック等の各特徴部分を設けても良いことは言うまでも無いが、このように縦長長方形の形状を採用したことで、露出位置が電極ごとに離れていることに加え、測定時の誘導コードの露出長もさらに短くなったことから、第１の実施の形態におけるポケットのような保持手段がなくても、心電計用誘導コード保持具としての機能を充分に発揮することができる。
【００３８】
以上、述べたように、心電計用誘導コードについて、本発明によりコンパクトに纏めた状態から迅速且つ容易に被験者に装着できるようになった。
【符号の説明】
【００３９】
１Ａ，１Ｂ，１Ｃ  心電計用誘導コード保持具、３Ａ，３Ｂ  心電計用誘導コード、５ａ，５ｂ，５ｃ，５ｄ，６  誘導コード、６ａ，６ｂ，６ｃ，６ｄ，６ｅ，６ｆ  分岐線、１０Ａ，１０Ｂ，１０Ｃ  本体、１１ａ，１１ｂ，１１ｃ，１１ｄ，１１ｅ  ポケット、４０  メインコード、５０  エーカークリップ、６０  胸部用電極、９０ａ，９０ｂ  プラスチックホック
【図１】
0006440262.tif 000002
【図２】
0006440262.tif 000003
【図３】
0006440262.tif 000004
【図４】
0006440262.tif 000005
【図５】
0006440262.tif 000006
【図６】
0006440262.tif 000007
【図７】
0006440262.tif 000008
【図８】
0006440262.tif 000009
【図９】
0006440262.tif 000010